(57)【特許請求の範囲】
【請求項１】
第一のセルを構成する第一の基地局と、
第二のセルを構成する第二の基地局と、
第三のセルを構成する第三の基地局と、
前記第二のセルを識別する識別子を割り当てる識別子割り当て装置と、を有し、
前記第一のセルは、前記第二のセルの隣接セルに含まれ、
前記第三のセルは、前記第一のセルの隣接セルに含まれ、
前記第一の基地局は、前記第一のセルの隣接セルの識別子情報が含まれる、第一の隣接セル情報を、前記第二の基地局へ送信し、
前記第二の基地局は、前記第一の基地局から受信した前記第一の隣接セル情報を、前記識別子割り当て装置へ送信し、
前記識別子割り当て装置は、前記第三のセルの隣接セルの識別子情報が含まれる第三の隣接セル情報と、前記第一の隣接セル情報とに基づいて、前記第二のセルの識別子の割り当てを行う、通信システム。
【請求項２】
前記第二のセルの隣接セルに含まれる第四のセルを構成する第四の基地局を更に有し、
前記第二の基地局と、前記第四の基地局との間に通信回線が確立されていない場合、
前記識別子割り当て装置は、前記第二の基地局に対して、前記第二の基地局と第四の基地局との間に通信回線を確立するよう要求する、請求項１に記載の通信システム。
【請求項３】
第一のセルを構成する第一の基地局と、第二のセルを構成する第二の基地局と、第三のセルを構成する第三の基地局と、を有し、前記第一のセルは、前記第二のセルの隣接セルに含まれ、前記第三のセルは、前記第一のセルの隣接セルに含まれる通信システムにおいて、前記第二のセルの識別子の割り当てを行う識別子割り当て装置であって、
前記第二の基地局から、前記第一のセルの隣接セルの識別子情報を含む第一の隣接セル情報を受信する受信部と、
前記第三のセルの隣接セルの識別子情報が含まれる第三の隣接セル情報と、前記受信部が受信した前記第一の隣接セル情報とに基づいて、前記第二のセルの識別子の割り当てを行う識別子割り当て部と、を有する識別子割り当て装置。
【請求項４】
第一のセルと、第二のセルと、第三のセルと、前記第二のセルの識別子の割り当てを行う識別子割り当て装置と、を有し、前記第一のセルは、前記第二のセルの隣接セルに含まれ、前記第三のセルは、前記第一のセルの隣接セルに含まれる通信システムにおける、前記第二のセルを構成する基地局であって、
前記第一のセルを構成する他の基地局から、前記第一のセルの隣接セルの識別子情報を含む第一の隣接セル情報を受信する受信部と、
前記第一の隣接セル情報を、前記識別子割り当て装置に送信する送信部と、を有し、
前記第二のセルの識別子は、前記第三のセルの隣接セルの識別子情報が含まれる第三の隣接セル情報と、前記送信部が送信した前記第一の隣接セル情報とに基づいて、前記識別子割り当て装置によって割り当てられる、基地局。
【請求項５】
第一のセルと、第二のセルと、第三のセルと、前記第二のセルの識別子の割り当てを行う識別子割り当て装置と、を有し、前記第一のセルは、前記第二のセルの隣接セルに含まれ、前記第三のセルは、前記第一のセルの隣接セルに含まれる通信システムにおける、識別子割り当て方法であって、
第一の基地局が構成する前記第一のセルの隣接セルの識別子情報が含まれる、第一の隣接セル情報を、前記第二のセルを構成する第二の基地局へ送信する工程と、
前記第二の基地局が受信した前記第一の隣接セル情報を、前記識別子割り当て装置に送信する工程と、
前記第三のセルの隣接セルの識別子情報が含まれる第三の隣接セル情報と、前記識別子割り当て装置が受信した前記第一の隣接セル情報とに基づいて、前記第二のセルの識別子を割り当てる工程と、を有する、識別子割り当て方法。
【請求項６】
第一のセルを構成する第一の基地局と、第二のセルを構成する第二の基地局と、第三のセルを構成する第三の基地局と、を有し、前記第一のセルは、前記第二のセルの隣接セルに含まれ、前記第三のセルは、前記第一のセルの隣接セルに含まれる通信システムにおいて、前記第二のセルに識別子を割り当てる識別子割り当て装置のための方法であって、
前記第二の基地局から、前記第一のセルの隣接セルの識別子情報を含む第一の隣接セル情報を受信する受信工程と、
前記第三のセルの隣接セルの識別子情報が含まれる第三の隣接セル情報と、前記受信工程により受信した前記第一の隣接セル情報とに基づいて、前記第二のセルの識別子の割り当てを行う識別子割り当て工程と、を有する、識別子割り当て装置のための方法。
【請求項７】
第一のセルと、第二のセルと、第三のセルと、前記第二のセルの識別子の割り当てを行う識別子割り当て装置と、を有し、前記第一のセルは、前記第二のセルの隣接セルに含まれ、前記第三のセルは、前記第一のセルの隣接セルに含まれる通信システムにおける、プログラムであって、
第一の基地局が構成する前記第一のセルの隣接セルの識別子情報が含まれる、第一の隣接セル情報を、前記第二のセルを構成する第二の基地局へ送信する工程と、
前記第二の基地局が受信した前記第一の隣接セル情報を、前記識別子割り当て装置に送信する工程と、
前記第三のセルの隣接セルの識別子情報が含まれる第三の隣接セル情報と、前記識別子割り当て装置が受信した前記第一の隣接セル情報とに基づいて、前記第二のセルの識別子を割り当てる工程と、をコンピュータに実行させるプログラム。
【発明の詳細な説明】
【技術分野】
【０００１】
本発明は、セルに対して識別子の割り当てを行う方法に関する。
【背景技術】
【０００２】
近年、サーバ間やバックプレーンのボード間における通信高速化、大容量化が行われている。これに伴い、セルの識別子の一種であるＰＣＩ（Ｐｈｙｓｉｃａｌ  Ｃｅｌｌ  Ｉｄｅｎｔｉｆｉｅｒ）の割り当て後に、無線環境が変化する可能性がある。そのため、ＰＣＩの割り当てにおいては、無線環境が変化した場合でもｃｏｌｌｉｓｉｏｎ−ｆｒｅｅおよびｃｏｎｆｕｓｉｏｎ−ｆｒｅｅを維持できるＰＣＩを選択する必要がある。
【０００３】
しかし、実際の無線環境を測定するためには、膨大な労力が必要である。また、無線環境を予想するためには、障害物等の詳細な情報要素が必要となるが、そのような膨大な情報を管理することは困難である。そのため、より効率的に、ｃｏｌｌｉｓｉｏｎ−ｆｒｅｅおよびｃｏｎｆｕｓｉｏｎ−ｆｒｅｅを維持できる可能性の高いＰＣＩ割り当てを可能とする通信システムが求められている。
【０００４】
ＰＣＩの割り当てに関連する技術が、特開２０１１−００４３７７号公報、特表２０１０−５３７４７９号公報及び特開２０１０−２６８４６３号公報に記載されている。
【０００５】
特開２０１１−００４３７７号公報に記載のハンドオーバ方法においては、ＰＣＩ  ｃｏｎｆｕｓｉｏｎが発生した場合、再接続手順が実行される。
【０００６】
また、特表２０１０−５３７４７９号公報の記載のセル識別子の競合解消方法においては、検出ノードが、第一の競合セルに関連する第一のセル識別子が第二の競合セルに関連する第二のセル識別子と同じであることを検出すると、第一及び第二の競合セルのうちの１つが選定される。そして、選定されたセルに対して、異なるセル識別子が決定される。
【０００７】
しかしながら、上述の技術はいずれも、隣接するセル間においてＰＣＩなどの識別子の重複を検出した後に、検出された識別子の重複を解消するものでる。そのため、ＰＣＩの割り当て時において、無線環境が変化した場合でもｃｏｌｌｉｓｉｏｎ−ｆｒｅｅおよびｃｏｎｆｕｓｉｏｎ−ｆｒｅｅを維持できるＰＣＩを選択することはできない。
【０００８】
ｃｏｌｌｉｓｉｏｎ−ｆｒｅｅおよびｃｏｎｆｕｓｉｏｎ−ｆｒｅｅの維持を考慮したＰＣＩの選択に関連する技術が、例えば特開２０１０−２６８４６３号公報に記載されている。
【０００９】
特開２０１０−２６８４６３号公報に記載のＰＣＩ割り当て方法においては、ＳＯＮ（Ｓｅｌｆ−Ｏｒｇａｎｉｚｉｎｇ  Ｎｅｔｗｏｒｋ）機能ノードが、その配下の各基地局から報告された隣接セルの情報をまとめる。そして、該隣接セル情報に基づいて、セルに対してＰＣＩを割り当てる。
【００１０】
しかしながら、当該技術においては、ＳＯＮ機能ノードに接続されている基地局が構成するセルの隣接セルの識別子情報のみが、ＳＯＮ機能ノードに送信される。このため、ＰＣＩ等の識別子の割り当て時において、ＳＯＮ機能ノードは、自身に接続された基地局が構成するセルの隣接セルの識別子情報を考慮することはできても、該隣接セルに更に隣接するセルの識別子情報は考慮できないという問題が生じる。この結果、無線環境が変化した場合にｃｏｌｌｉｓｉｏｎ−ｆｒｅｅおよびｃｏｎｆｕｓｉｏｎ−ｆｒｅｅを維持しにくいという、極めて深刻な問題が生じる。
【００１１】
この問題は、ＳＯＮ機能ノードに接続されていない基地局が構成するセルの隣接セルの識別子情報を、ＳＯＮ機能ノード側で知る手段がないことに起因している。
【先行技術文献】
【特許文献】
【００１２】
【特許文献１】特開２０１１−００４３７７号公報
【特許文献２】特表２０１０−５３７４７９号公報
【特許文献３】特開２０１０−２６８４６３号公報
【発明の概要】
【発明が解決しようとする課題】
【００１３】
本発明は上記問題に鑑みて、識別子割り当て装置に接続されていない基地局が構成するセルの、隣接セルの識別子情報を、該識別子割り当て装置が知ることができる通信システムを提供することを目的とする。
【００１４】
しかしながら、例示的な実施形態は必ずしも上述の目的を達成するために必要とされるものではなく、また例示的な実施形態は必ずしも上述の目的のいずれかを達成するものでもない。
【課題を解決するための手段】
【００１５】
本実施形態における通信システムは、第一のセルを構成する第一の基地局と、第二のセルを構成する第二の基地局と、第二のセルを識別する識別子を割り当てる識別子割り当て装置と、を有し、第一の基地局は、第一のセルの隣接セルの識別子情報が含まれる、第一の隣接セル情報を、第二の基地局へ送信し、第二の基地局は、第一の基地局から受信した第一の隣接セル情報を、識別子割り当て装置へ送信する。
【００１６】
本実施形態における識別子割り当て装置は、第一のセルを構成する第一の基地局と、第二のセルを構成する第二の基地局と、を有する通信システムにおいて、第二のセルの識別子の割り当てを行う識別子割り当て装置であって、第二の基地局から、第一のセルの隣接セルの識別子情報を含む第一の隣接セル情報を受信する受信部と、受信部が受信した第一の隣接セル情報に基づいて、第二のセルの識別子の割り当てを行う識別子割り当て部と、を有する。
【００１７】
本実施形態における基地局は、第一のセルと、第二のセルと、第二のセルの識別子の割り当てを行う識別子割り当て装置と、を有する通信システムにおける、第二のセルを構成する基地局であって、第一のセルを構成する他の基地局から、第一のセルの隣接セルの識別子情報を含む第一の隣接セル情報を受信する受信部と、第一の隣接セル情報を、識別子割り当て装置に送信する送信部と、を有する。
【００１８】
本実施形態における識別子割り当て方法は、第一の基地局が構成する第一のセルの隣接セルの識別子情報が含まれる、第一の隣接セル情報を、第二のセルを構成する第二の基地局へ送信する工程と、第二の基地局が受信した第一の隣接セル情報を、第二のセルの識別子の割り当てを行う識別子割り当て装置に送信する工程と、を有する。
【００１９】
本実施形態における識別子割り当て装置のための方法は、第一のセルを構成する第一の基地局と、第二のセルを構成する第二の基地局と、を有する通信システムにおいて、第二のセルに識別子を割り当てる識別子割り当て装置のための方法であって、第二の基地局から、第一のセルの隣接セルの識別子情報を含む第一の隣接セル情報を受信する受信工程と、受信工程により受信した第一の隣接セル情報に基づいて、第二のセルの識別子の割り当てを行う識別子割り当て工程と、を有する。
【００２０】
本実施形態における基地局のための方法は、第一のセルと、第二のセルと、第二のセルの識別子の割り当てを行う識別子割り当て装置と、を有する通信システムにおいて、第二のセルを構成する基地局のための方法であって、第一のセルを構成する他の基地局から、第一のセルの隣接セルの識別子情報を含む第一の隣接セル情報を受信する受信工程と、第一の隣接セル情報を、識別子割り当て装置に送信する送信工程と、を有する。
【００２１】
本実施形態におけるプログラムは、第一の基地局が構成する第一のセルの隣接セルの識別子情報が含まれる、第一の隣接セル情報を、第二のセルを構成する第二の基地局へ送信する工程と、第二の基地局が受信した第一の隣接セル情報を、第二のセルの識別子の割り当てを行う識別子割り当て装置に送信する工程と、をコンピュータに実行させる。
【発明の効果】
【００２２】
本発明により、識別子割り当て装置に接続されていない基地局が構成するセルの、隣接セルの識別子情報を、識別子割り当て装置が知ることが可能となる。
【００２３】
本発明は上記問題に鑑みて、識別子割り当て装置に接続されていない基地局が構成するセルの、隣接セルの識別子情報を、該識別子割り当て装置が知ることができる通信システムを提供することを目的とする。
【図面の簡単な説明】
【００２４】
【図１】本発明の第１の実施形態に係る、通信システムの構成を示すブロック図である。
【図２】本発明の第１の実施形態に係る、第二の基地局の構成を示すブロック図である。
【図３】本発明の第１の実施形態に係る、識別子割り当て装置の構成を示すブロック図である。
【図４】本発明の第１の実施形態に係る、通信システムの動作を説明するためのフローチャートである。
【図５】本発明の第２の実施形態に係る、通信システムの構成を示すブロック図である。
【図６】本発明の第２の実施形態に係る、ＳＯＮ機能部の構成を示すブロック図である。
【図７】本発明の第２の実施形態における、ｅＮＢ間で確立されたＸ２インターフェースを示す図である。
【図８】Ｘ２セットアップ要求メッセージに含まれるＩＥの構成を示す図である。
【図９】Ｘ２セットアップ応答メッセージに含まれるＩＥの構成を示す図である。
【図１０】ＥＮＢコンフィグレーションアップデートメッセージに含まれるＩＥの構成を示す図である。
【図１１】本発明の第２の実施形態における、セルの隣接関係を示す図である。
【図１２】本発明の第２の実施形態に係る通信システムの一部の構成を示すブロック図である。
【図１３】本発明の第２の実施形態に係る通信システムの動作フローの一例を示す図である。
【図１４】本発明の第２の実施形態に係る通信システムの動作フローの他の例を示す図である。
【図１５】本発明の第３の実施形態における、ＰＣＩを割り当てるセルの隣接セルに隣接するセルに、更に隣接するセルのＰＣＩ及びＥＧＣＩのリストを示す図である。
【図１６】本発明の第３の実施形態における、通信システムの動作フローの一例を示す図である。
【図１７】本発明に係る通信システムの構成の一例を示すブロック図である。
【図１８】本発明に係る通信システムの構成の一例を示すブロック図である。
【発明を実施するための形態】
【００２５】
本発明の実施の形態について図面を参照しながら説明する。しかしながら、係る形態は本発明の技術的範囲を限定するものではない。
【００２６】
［第１の実施形態］
【００２７】
本発明の第１の実施形態における通信システムについて、図１を用いて説明する。
【００２８】
本実施形態における通信システム１０は、第一の基地局１１と、第二の基地局１２と、識別子割り当て装置１３と、を有する。
【００２９】
第一の基地局１１は、第一のセルを構成する。第二の基地局１２は、第二のセルを構成する。識別子割り当て装置１３は、第二のセルの識別子を割り当てる。
【００３０】
第一の基地局１１は、第一のセルの隣接セルの識別子情報が含まれる、第一の隣接セル情報を、第二の基地局１２へ送信する。また、第二の基地局１２は、第一の基地局１１から受信した第一の隣接セル情報を、識別子割り当て装置１３へ送信する。
【００３１】
次に、第二の基地局１２及び識別子割り当て装置１３それぞれの構成について、図２及び図３を用いて説明する。
【００３２】
図２に、第二の基地局１２の構成を示す。第二の基地局１２は、受信部１４と、送信部１５と、を有する。受信部１４は、第一の基地局１１から送信された第一の隣接セル情報を受信する。送信部１５は、受信部１４が受信した第一の隣接セル情報を識別子割り当て装置１３に送信する。
【００３３】
図３には、識別子割り当て装置１３の構成を示す。識別子割り当て装置１３は、受信部１６と、識別子割り当て部１７と、を有する。受信部１６は、第二の基地局１２から送信された、第一の隣接セル情報を受信する。識別子割り当て部１７は、受信部１６が受信した第一の隣接セル情報に基づいて、第二のセルの識別子の割り当てを行う。
【００３４】
次に、本実施形態の通信システム１０における通信方法について、図４を用いて説明する。初めに、第一の隣接セル情報を、第二の基地局１２へ送信する（ステップＳ１）。
【００３５】
次に、第二の基地局１２が受信した第一の隣接セル情報を、識別子割り当て装置１３に送信する（ステップＳ２）。
【００３６】
以上のようにして、本実施形態の通信システム１０においては、識別子割り当て装置１３と第一の基地局１１とが直接接続されていない場合であっても、識別子割り当て装置１３は、第一の基地局１１が構成するセルの隣接セルの識別子情報を知ることができる。
【００３７】
そのため、本実施形態における識別子割り当て装置１３は、無線環境が変化した場合でもｃｏｌｌｉｓｉｏｎ−ｆｒｅｅおよびｃｏｎｆｕｓｉｏｎ−ｆｒｅｅを維持できる可能性が高い、識別子の割り当てを行うことができる。
【００３８】
特に、第一のセルと第二のセルのうち少なくとも一方のセルの隣接セルに、他方のセルが含まれる場合には、識別子割り当て装置１３が第一の隣接セル情報を知ることによって、ｃｏｌｌｉｓｉｏｎ−ｆｒｅｅおよびｃｏｎｆｕｓｉｏｎ−ｆｒｅｅを維持できる可能性が高くなる。しかしながら、第一のセルと第二のセルが互いに隣接セルの関係になくとも、互いの位置が近い場合もあり得る。このような場合においても、識別子割り当て装置１３が第一の隣接セル情報を知ることによって、無線環境が変化した場合でもｃｏｌｌｉｓｉｏｎ−ｆｒｅｅおよびｃｏｎｆｕｓｉｏｎ−ｆｒｅｅを維持できる可能性を、高くすることができる場合がある。例えば、第二のセルの隣接セルである第三のセルの隣接セルに、第一のセルが含まれる場合には、後述する第３の実施形態のステップＳ３２のように、識別子割り当て装置が第一の隣接セル情報を用いることにより、ｃｏｌｌｉｓｉｏｎ−ｆｒｅｅおよびｃｏｎｆｕｓｉｏｎ−ｆｒｅｅを維持できる可能性を、高くすることができる。
【００３９】
［第２の実施形態］
【００４０】
本発明の第２の実施形態における通信システム２０について、図５を用いて説明する。
【００４１】
本実施形態の通信システム２０は、Ｃｅｎｔｒａｌｉｚｅｄ  ＳＯＮ（Ｓｅｌｆ−Ｏｒｇａｎｉｚｉｎｇ  Ｎｅｔｗｏｒｋ）機能を持つＬＴＥ（Ｌｏｎｇ  Ｔｅｒｍ  Ｅｖｏｌｕｔｉｏｎ）システムとする。Ｃｅｎｔｒａｌｉｚｅｄ  ＳＯＮとは、ＳＯＮ機能部が、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）  Ｓｙｓｔｅｍに存在することを言う。なお、ＳＯＮ機能部が行う動作としては、Ｓｅｌｆ−Ｃｏｎｆｉｇｕｒａｔｉｏｎ（自動設定）、Ｓｅｌｆ−Ｏｐｔｉｍｉｚａｔｉｏｎ（自動最適化）、Ｓｅｌｆ−Ｈｅａｌｉｎｇ（自動修復）などがあり、具体的には、例えばＰＣＩの決定を行う。また、Ｃｅｎｔｒａｌｉｚｅｄ  ＳＯＮには、ＮＭＳ（Ｎｅｔｗｏｒｋ  Ｍａｎａｇｅｍｅｎｔ  Ｓｙｓｔｅｍ）がＳＯＮ機能を有するＮＭ−Ｃｅｎｔｒａｌｉｚｅｄ  ＳＯＮと、ＥＭＳ（Ｅｌｅｍｅｎｔ  Ｍａｎａｇｅｍｅｎｔ  Ｓｙｓｔｅｍ）がＳＯＮ機能を有するＥＭ−Ｃｅｎｔｒａｌｉｚｅｄ  ＳＯＮがある。本実施形態の通信システム２０は、ＥＭ−Ｃｅｎｔｒａｌｉｚｅｄ  ＳＯＮとする。なお、ＮＭＳとは、ＬＴＥネットワーク全体を管理する管理システムである。ＥＭＳとは、複数の基地局（ｅＮＢなど）を管理する管理システムである。
【００４２】
本実施形態の通信システム２０は、ＮＭＳ２１と、ＥＭＳ２２、２３と、ｅＮＢ２４１〜ｍと、セル２５１〜ｍと、を有する。ＮＭＳ２１は、通信システム２０全体を管理する。ＥＭＳ２２は、ｅＮＢ２４１〜ｎを管理する装置である。ＥＭＳ２３は、ｅＮＢ２４ｎ＋１〜ｍを管理する装置である。ｅＮＢ２４１〜ｍは基地局であり、それぞれセル２５１〜ｍを構成する。なお、１つのｅＮＢが複数のセルを構成することもできるが、本実施形態においては、説明を分かり易くするために、各ｅＮＢはそれぞれ１つのセルを構成することとする。すなわち、ｅＮＢ２４１〜ｍはそれぞれ、セル２５１〜ｍを構成する。
【００４３】
ＮＭＳ２１は、ＥＭＳ２２及びＥＭＳ２３と任意のインターフェースで接続している。ＥＭＳ２２は、ｅＮＢ２４１〜ｎと任意のインターフェースで接続している。同様に、ＥＭＳ２３は、ｅＮＢ２４ｎ＋１〜ｍと任意のインターフェースで接続している。
【００４４】
ＥＭＳ２２、２３は、ＳＯＮ機能部２６、２７を有する。すなわち、本実施形態においては、ＥＭＳ２２、２３が、識別子割り当て装置として機能する。
【００４５】
図６に、ＳＯＮ機能部２６の構成を示す。なお、ＳＯＮ機能部２７の構成は、ＳＯＮ機能部２６と同様の構成を有するので、説明は省略する。
【００４６】
図６に示すように、ＳＯＮ機能部２６は、受信部２８と、メモリ２９と、識別子割り当て部３０と、を有する。受信部２８は、Ｎｅｉｇｈｂｏｕｒ  Ｉｎｆｏｒｍａｔｉｏｎを受信する。メモリ２９は、受信したＮｅｉｇｈｂｏｕｒ  Ｉｎｆｏｒｍａｔｉｏｎを記録する。識別子割り当て部３０はＥＭＳ２２に接続するｅＮＢが構成するセルに、識別子を割り当てる。セルに割り当てる識別子には、ＰＣＩが含まれる。
【００４７】
なお、Ｎｅｉｇｈｂｏｕｒ  Ｉｎｆｏｒｍａｔｉｏｎとは、隣接セルの識別子情報を含む情報である。また、隣接セルとは、移動端末がハンドオーバすることができるセルを意味し、カバーエリアが重複するセルなどが含まれる。例えば、移動端末がセル２５１からハンドオーバが可能なセルは、セル２５２とセル２５９とセル２５１０であったとする。この場合、セル２５１の隣接セルは、セル２５２とセル２５９とセル２５１０である。
【００４８】
また、ｅＮＢ２４１〜ｍはそれぞれ、他のｅＮＢとＸ２インターフェースを確立することができる。Ｘ２インターフェースは、３ＧＰＰ（３ｒｄ  Ｇｅｎｅｒａｔｉｏｎ  Ｐａｒｔｎｅｒｓｈｉｐ  Ｐｒｏｊｅｃｔ）標準にて規定されているインターフェースである。通常は、隣接関係にあるセルを構成するｅＮＢ間に、Ｘ２インターフェースを確立する場合が多い。本実施形態においては、図７に示すように、実線で結ばれたｅＮＢ間にＸ２インターフェースが確立されている。なお、図７においては、ｍ＝１２の場合、すなわち、通信システム２０がｅＮＢ２４１〜１２を有する場合の構成を示す。
【００４９】
互いにＸ２インターフェースで接続されるｅＮＢ間においては、メッセージの送受信により、自身が構成するセルのＮｅｉｇｈｂｏｕｒ  Ｉｎｆｏｒｍａｔｉｏｎを送受信することができる。ｅＮＢ間で送受信されるメッセージとは、例えば、Ｘ２セットアップ要求メッセージ（Ｘ２  ＳＥＴＵＰ  ＲＥＱＵＥＳＴ  メッセージ）、Ｘ２セットアップ応答メッセージ（Ｘ２  ＳＥＴＵＰ  ＲＥＳＰＯＮＳＥメッセージ）、あるいはＥＮＢコンフィグレーションアップデートメッセージ（ＥＮＢ  ＣＯＮＦＩＧＵＲＡＴＩＯＮ  ＵＰＤＡＴＥメッセージ）である。Ｘ２セットアップ要求メッセージとＸ２セットアップ応答メッセージは、ｅＮＢ間でＸ２インターフェースを新規に確立するときに送受信されるメッセージである。ＥＮＢコンフィグレーションアップデートメッセージは、Ｎｅｉｇｈｂｏｕｒ  Ｉｎｆｏｒｍａｔｉｏｎなどの情報要素が変更されたときに、ｅＮＢ間で送受信されるメッセージである。それぞれのメッセージに含まれるＩＥ（Ｉｎｆｏｒｍａｔｉｏｎ  Ｅｌｅｍｅｎｔ）を、図８乃〜１０に示す。図８〜１０に示すように、Ｎｅｉｇｈｂｏｕｒ  Ｉｎｆｏｒｍａｔｉｏｎは、ＥＣＧＩ（Ｅ−ＵＴＲＡＮ  Ｃｅｌｌ  Ｇｌｏｂａｌ  Ｉｄｅｎｔｉｆｉｅｒ）とＰＣＩとＥＡＲＦＣＮ（Ｅ−ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）の組み合わせを含んだリストにより構成される。ＥＣＧＩとは、セルを唯一に識別する識別子である。ＰＣＩは、無線リソースの１つであり、セルに割り当てられる、物理的なセルの識別子である。ＬＴＥにおいては、０〜５０３の５０４通りのＰＣＩが使用される。ＥＡＲＦＣＮは無線リソースの１つで、セルが使用する周波数に対応する。
【００５０】
次に、ｅＮＢ２４１〜１２が構成するセル２５１〜１２の隣接関係を、図１１に示す。図１１において、矢印のない実線で結ばれたセル同士は、互いに隣接する隣接セル同士であることを意味する。すなわち、それぞれ一方のセルのＮｅｉｇｈｂｏｕｒ  Ｉｎｆｏｒｍａｔｉｏｎには他方のセルの識別子情報が含まれている。矢印のある実線で結ばれたセル同士には、矢印が出ているセルの隣接セルには矢印が向かうセルが含まれるが、矢印が向かうセルの隣接セルには、矢印が出ているセルが含まれないことを意味する。すなわち、矢印が出ているセルのＮｅｉｇｈｂｏｕｒ  Ｉｎｆｏｒｍａｔｉｏｎには、矢印が向かうセルの識別子情報が含まれている。一方、矢印が向かうセルのＮｅｉｇｈｂｏｕｒ  Ｉｎｆｏｒｍａｔｉｏｎには、矢印が出ているセルの識別子情報は含まれない。実線で結ばれていないセル同士は、互いに隣接していないセル同士であることを意味する。すなわち、それぞれ一方のセルのＮｅｉｇｈｂｏｕｒ  Ｉｎｆｏｒｍａｔｉｏｎには、他方のセルが含まれていない。
【００５１】
セル２５１〜１２はそれぞれ、ＥＣＧＩとＰＣＩとＥＡＲＦＣＮが割り当てられる。セル２５１〜１２に割り当てられるＥＣＧＩはそれぞれ、ＥＣＧＩ１〜１２である。ＥＣＧＩは、セルに固有の識別子であるため、ＥＣＧＩ１〜１２はそれぞれ異なる。一方、セル２５１〜１２に割り当てられるＥＡＲＦＣＮは、全て共通である。また、セル２５１〜１２に割り当てられるＰＣＩはそれぞれ、ＰＣＩ１〜１２である。ＰＣＩは、複数のセルに同じ値を割り当てることができるが、そのＰＣＩは、ｃｏｌｌｉｓｉｏｎ−ｆｒｅｅであることとｃｏｎｆｕｓｉｏｎ−ｆｒｅｅであることが求められる。
【００５２】
ｃｏｌｌｉｓｉｏｎ−ｆｒｅｅとは、セルがカバーするエリアのＰＣＩが一つであること、すなわち、同じＰＣＩを持つセルがカバーするエリアが重複しないことである。本実施形態においては、あるセルのＥＡＲＦＣＮとＰＣＩの組み合わせが、そのセルのＮｅｉｇｈｂｏｕｒ  Ｉｎｆｏｒｍａｔｉｏｎに含まれるセルのＥＡＲＦＣＮとＰＣＩの組み合わせと異なる場合、ｃｏｌｌｉｓｉｏｎ−ｆｒｅｅであるとする。
【００５３】
ｃｏｎｆｕｓｉｏｎ−ｆｒｅｅとは、あるセルの隣接セルの中に、互いに同じＰＣＩを持つ複数のセルが含まれないことである。本実施形態においては、あるセルのＮｅｉｇｈｂｏｕｒ  Ｉｎｆｏｒｍａｔｉｏｎに、同じＥＡＲＦＣＮと同じＰＣＩを持つセルが２つ以上存在しない場合、ｃｏｎｆｕｓｉｏｎ−ｆｒｅｅであるとする。
【００５４】
次に、本実施形態における通信システム２０の動作ついて説明する。ここでは、ｅＮＢ２４１が構成するセル２５１のＰＣＩを割り当てる場合について述べる。
【００５５】
図１２に、通信システム２０に含まれる、ＥＭＳ２２とｅＮＢ２４１，２，９，１０の関係を示す。図１２に示すように、セル２５１を構成するｅＮＢ２４１と、セル２５２を構成するｅＮＢ２４２は、ＳＯＮ機能部２６を有するＥＭＳ２２に接続されており、セル２５９を構成するｅＮＢ２４９とセル２５１０を構成するｅＮＢ２４１０は、ＥＭＳ２２に接続していない。また、ｅＮＢ２４２とｅＮＢ２４９とｅＮＢ２４１０のそれぞれと、ｅＮＢ２４１との間にはＸ２インターフェースが確立されている。更に、ｅＮＢ２４２とｅＮＢ２４９との間、及び、ｅＮＢ２４１０とｅＮＢ２４９との間にも、それぞれＸ２インターフェースが確立されている。なお、セルの隣接関係については、図１１を参照されたい。図１１によれば、セル２５１の隣接セルは、セル２５２、セル２５９であることが分かる。
【００５６】
図１３に、通信システム２０の動作フローを示す。初めに、ｅＮＢ２４１とｅＮＢ２４２はそれぞれ、自身が構成するセル２５１、及びセル２５２の隣接セルの識別子情報が含まれるＮｅｉｇｈｂｏｕｒ  Ｉｎｆｏｒｍａｔｉｏｎを、ＳＯＮ機能部２６に送信する（ステップＳ１１）。ＳＯＮ機能部２６の受信部２８は、セル２５１とセル２５２それぞれのＮｅｉｇｈｂｏｕｒ  Ｉｎｆｏｒｍａｔｉｏｎを受信し、メモリ２９はこれらを記録する。なお、ここではセル２５１、及びセル２５２のＮｅｉｇｈｂｏｕｒ  Ｉｎｆｏｒｍａｔｉｏｎを最初にＳＯＮ機能部２６に送信することとしたが、この動作は、後述するステップＳ１２からステップＳ１６の間に行われても良い。
【００５７】
ｅＮＢ２４９は、自身が構成するセル２５９の隣接セルの識別子情報が含まれるＮｅｉｇｈｂｏｕｒ  Ｉｎｆｏｒｍａｔｉｏｎを、ｅＮＢ２４１に送信する（ステップＳ１２）。例えば、ｅＮＢ２４９はＥＮＢコンフィグレーションアップデートメッセージに、セル２５９のＮｅｉｇｈｂｏｕｒ  Ｉｎｆｏｒｍａｔｉｏｎを含めて、ｅＮＢ２４１に送信する。
【００５８】
ｅＮＢ２４１は、セル２５９のＮｅｉｇｈｂｏｕｒ  Ｉｎｆｏｒｍａｔｉｏｎを受信すると、受信したＮｅｉｇｈｂｏｕｒ  ＩｎｆｏｒｍａｔｉｏｎをＳＯＮ機能部２６に送信する（ステップＳ１３）。ＳＯＮ機能部２６の受信部２８は、ｅＮＢ２４１から送信された、セル２５９のＮｅｉｇｈｂｏｕｒ  Ｉｎｆｏｒｍａｔｉｏｎを受信する。そして、ＳＯＮ機能部２６のメモリ２９は、受信部２８が受信したセル２５９のＮｅｉｇｈｂｏｕｒ  Ｉｎｆｏｒｍａｔｉｏｎを記録する。
【００５９】
同様に、ｅＮＢ２４１０の隣接セルの識別子情報が含まれるＮｅｉｇｈｂｏｕｒ  Ｉｎｆｏｒｍａｔｉｏｎは、ｅＮＢ２４１を介して、ＳＯＮ機能部２６に送信される（ステップＳ１４、１５）。なお、ｅＮＢ２４１０はｅＮＢ２４２ともＸ２インターフェースで接続されているので、セル２５１０のＮｅｉｇｈｂｏｕｒ  Ｉｎｆｏｒｍａｔｉｏｎは、ｅＮＢ２４２を介して、ＳＯＮ機能部２６に送信されることとしても良い。
【００６０】
以上のようにして、ＳＯＮ機能部２６は、ＥＭＳ２２に接続されているｅＮＢ２４１及びｅＮＢ２４２が構成する、セル２５１、セル２５２のＮｅｉｇｈｂｏｕｒ  Ｉｎｆｏｒｍａｔｉｏｎだけでなく、ＥＭＳ２２に接続されていないｅＮＢ２４９及びｅＮＢ２４１０が構成するセル２５９、セル２５１０のＮｅｉｇｈｂｏｕｒ  Ｉｎｆｏｒｍａｔｉｏｎも記録することができる。
【００６１】
ここで、セル２５１のＰＣＩの割り当てが必要になった場合、ＳＯＮ機能部２６の識別子割り当て部３０は、セル２５１のＰＣＩ候補リストを作成する（ステップＳ１６）。なお、識別子割り当て部３０による、セル２５１のＰＣＩ候補リストの作成手順については、後述する。
【００６２】
次に、識別子割り当て部３０は、ステップＳ１６により作成されたＰＣＩ候補リストから、セル２５１に割り当てるＰＣＩを決定する（ステップＳ１７）。そして、識別子割り当て部３０は、選択したＰＣＩをｅＮＢ２４１に通知し、セル２５１へのＰＣＩ割り当てを行う（ステップＳ１８）。
【００６３】
次に、ステップＳ１６における、識別子割り当て部３０によるセル２５１のＰＣＩ候補リストの作成手順について説明する。
【００６４】
初めに、識別子割り当て部３０は、第一のＰＣＩ候補リストを作成する（ステップＳ２２）。第一のＰＣＩ候補リストとは、割り当て可能な全てのＰＣＩのリスト（例えば、ＰＣＩ０〜５０３）で構成される。
【００６５】
次に、識別子割り当て部３０は、セル２５１の隣接セルのＰＣＩを、ＰＣＩ候補リストから除く（ステップＳ２３）。具体的には、識別子割り当て部３０は、メモリ２９に記録された、セル２５１のＮｅｉｇｈｂｏｕｒ  Ｉｎｆｏｒｍａｔｉｏｎを読み込む。ここで、セル２５１のＮｅｉｇｈｂｏｕｒ  Ｉｎｆｏｒｍａｔｉｏｎには、セル２５１の隣接セルであるセル２５２、セル２５９のＥＣＧＩ情報とＰＣＩ情報が含まれている。そして、識別子割り当て部３０は、第一のＰＣＩ候補リストから、セル２５２とセル２５９のＰＣＩであるＰＣＩ２、ＰＣＩ９を除いた、第二のＰＣＩ候補リストを作成する。
【００６６】
次に、識別子割り当て部３０は、隣接セルにセル２５１を含むセルのＰＣＩを、ＰＣＩ候補リストから除く（ステップＳ２４）。具体的には、識別子割り当て部３０は、メモリ２９に記録された複数のセルのＮｅｉｇｈｂｏｕｒ  Ｉｎｆｏｒｍａｔｉｏｎを読み込み、Ｎｅｉｇｈｂｏｕｒ  Ｉｎｆｏｒｍａｔｉｏｎにセル２５１の識別子情報を含むセルが、セル２５９、セル２５１０であることを特定する。そして、識別子割り当て部３０は、第二のＰＣＩ候補リストから、セル２５９、セル２５１０のＰＣＩであるＰＣＩ９、ＰＣＩ１０を除いた、第三のＰＣＩ候補リストを作成する。
【００６７】
次に、識別子割り当て部３０は、隣接セルにセル２５１を含むセルの隣接セルのＰＣＩを、ＰＣＩ候補リストから除く（ステップＳ２５）。具体的には、識別子割り当て部３０は、隣接セルにセル２５１を含むセル２５９、セル２５１０のＮｅｉｇｈｂｏｕｒ  Ｉｎｆｏｒｍａｔｉｏｎをメモリ２９から読み込む。ここで、セル２５９の隣接セルはセル２５１、セル２５２、セル２５３、セル２５８、セル２５１０、セル２５１１である。また、セル２５１０の隣接セルはセル２５１、セル２５９、セル２５１１である。そのため、識別子割り当て部３０は、これらの隣接セルのＰＣＩである、ＰＣＩ２、ＰＣＩ３、ＰＣＩ８、ＰＣＩ９、ＰＣＩ１０、ＰＣＩ１１を、第三のＰＣＩ候補リストから除いた、第四のＰＣＩ候補リストを作成する。なお、ＰＣＩ１は、セル２５１自身のＰＣＩであるため、ＰＣＩ候補リストから除外する必要はない。
【００６８】
このようにして、識別子割り当て部３０は、セル２５１に割り当てるＰＣＩの候補リストを作成する。
【００６９】
そして、識別子割り当て部３０は、ステップＳ１７において、第四のＰＣＩ候補リストから、セル２５１に割り当てるＰＣＩを選択する。ただし、ステップＳ２２〜２５の間で、ＰＣＩ候補リストにＰＣＩが１つしか残らなくなった場合は、その時点でＰＣＩ候補リストに残っているＰＣＩを選択し、セル２５１に割り当てることとしてもよい。
【００７０】
なお、ステップＳ２２〜２５を全て行った結果、ＰＣＩ候補リストからＰＣＩが一つも残らなくなった場合には、セル２５１へのＰＣＩの割り当てを中止することとしてもよい。
【００７１】
なお、ステップＳ１６においては、セル２５１へのＰＣＩの割り当てが必要になった場合に、ＰＣＩ候補リストを作成することとしたが、ＰＣＩの割り当てが必要になる場合とは、例えば次のような場合である。すなわち、ＰＣＩ  ＣｏｌｌｉｓｉｏｎやＰＣＩ  Ｃｏｎｆｕｓｉｏｎが検出された場合や、セル間での干渉が発生したためにＰＣＩを変更する必要が生じた場合、あるいは、オペレータの都合により、使用可能なＰＣＩが変更になった場合などである。なお、ＰＣＩ  ＣｏｌｌｉｓｉｏｎやＰＣＩ  Ｃｏｎｆｕｓｉｏｎは、移動端末（例えば、ＵＥ：Ｕｓｅｒ  Ｅｑｕｉｐｍｅｎｔ）から送信されたＭｅａｓｕｒｅｍｅｎｔ  Ｒｅｐｏｒｔに基づいて、ＳＯＮ機能部２６が検出することとしても良い。この場合、図１４に示すように、ｅＮＢ２４１と通信を行っているＵＥが、ｅＮＢ２４１に対してＭｅａｓｕｒｅｍｅｎｔ  Ｒｅｐｏｒｔを送信する（ステップＳ１９）。そして、ｅＮＢ２４１は、ＵＥから受信したＭｅａｓｕｒｅｍｅｎｔ  ＲｅｐｏｒｔをＳＯＮ機能部２６に転送する（ステップＳ２０）。そして、ＳＯＮ機能部２６は、受信したＭｅａｓｕｒｅｍｅｎｔ  Ｒｅｐｏｒｔに基づいてＰＣＩ  Ｃｏｌｌｉｓｉｏｎ及びＰＣＩ  Ｃｏｎｆｕｓｉｏｎを検出する（ステップＳ２１）。
【００７２】
以上のようにして、本実施形態における通信システム２０は、セル２５１へのＰＣＩの割り当てを行う。ここで第四のＰＣＩ候補リストには、セル２５１の隣接セルのＰＣＩ、隣接セルにセル２５１を含むセルの隣接セルのＰＣＩ、及び、隣接セルにセル２５１を含むセルの隣接セルのＰＣＩなどの、セル２５１がカバーするエリアが近いことが想定されるセルのＰＣＩが除かれている。すなわち、セル２５１には、セル２５１がカバーするエリアが近いことが想定されるセルのＰＣＩとは異なるＰＣＩが割り当てられる。そのため、本実施形態の通信システム２０によれば、無線環境を測定するための労力や無線環境を予測するための詳細な情報要素を必要とせず、ｃｏｌｌｉｓｉｏｎ−ｆｒｅｅ及びｃｏｎｆｕｓｉｏｎ−ｆｒｅｅを維持できる可能性が高いＰＣＩの割り当てを行うことができる。
【００７３】
なお、本実施形態においては、セル２５１へのＰＣＩ割り当てが必要となった場合に、識別子割り当て部３０がＰＣＩ候補リストを作成することとしたが、これに限らない。例えば、一定時間ごとに定期的にステップＳ２２〜２５の手順を実行し、ＰＣＩ候補リストを作成または更新することとしてもよい。あるいは、受信部２８が新しいＮｅｉｇｈｂｏｕｒ  Ｉｎｆｏｒｍａｔｉｏｎを受信するタイミングで、ステップＳ２２〜２５の手順を実行し、ＰＣＩ候補リストを作成または更新することとしてもよい。
【００７４】
なお、本実施形態におけるＰＣＩの割り当ては、既にＰＣＩが割り当てられているセルに対してＰＣＩの再割り当てを行う場合に対しても、通信システムに新規に追加されたセル対して初めてＰＣＩを割り当てる場合に対しても、適用させることができる。
【００７５】
［第３の実施形態］
【００７６】
本発明の第３の実施形態について説明する。本実施形態においては、第２の実施形態で作成したＰＣＩ候補リストを更に修正し、ｃｏｌｌｉｓｉｏｎ−ｆｒｅｅ及びｃｏｎｆｕｓｉｏｎ−ｆｒｅｅを維持できる可能性をより高める方法について述べる。なお、本実施形態における通信システムの構成は、図５、７、１１、１２に示す、第２の実施形態における通信システム２０と同様の構成とする。
【００７７】
本実施形態における、識別子割り当て部３０によるＰＣＩ候補リストの作成手順について説明する。
【００７８】
初めに、第２の実施形態におけるステップＳ２２〜Ｓ２５の動作を行い、第四のＰＣＩ候補リストを作成する。
【００７９】
次に、識別子割り当て部３０は、セル２５１の隣接セルに隣接するセルのＰＣＩを、ＰＣＩ候補リストから除く（ステップＳ３１）。具体的には、識別子割り当て部３０は、メモリ２９からセル２５１の隣接セルであるセル２５２、セル２５９のＮｅｉｇｈｂｏｕｒ  Ｉｎｆｏｒｍａｔｉｏｎを読み込む。セル２５２の隣接セルは、セル２５３、セル２５９である。また、セル２５９の隣接セルは、セル２５１、セル２５２、セル２５３、セル２５８、セル２５１０、セル２５１１である。そのため、識別子割り当て部３０は、セル２５２、セル２５９の隣接セルのＰＣＩであるＰＣＩ２、ＰＣＩ３、ＰＣＩ８、ＰＣＩ９、ＰＣＩ１０、ＰＣＩ１１を、第四のＰＣＩ候補リストから除き、第五のＰＣＩ候補リストを作成する。なお、ＰＣＩ１は、セル２５１自身のＰＣＩであるため、ＰＣＩ候補リストから除外する必要はない。
【００８０】
次に、識別子割り当て部３０は、セル２５１の隣接セルに隣接するセルに、更に隣接するセルのＰＣＩを、ＰＣＩ候補リストから除く（ステップＳ３２）。具体的には、識別子割り当て部３０は、セル２５１の隣接セルであるセル２５２、セル２５９の隣接セルに、更に隣接するセルである、セル２５１、セル２５２、セル２５３、セル２５８、セル２５９、セル２５１０、セル２５１１のＮｅｉｇｈｂｏｕｒ  Ｉｎｆｏｒｍａｔｉｏｎを読み込む。これらのＮｅｉｇｈｂｏｕｒ  Ｉｎｆｏｒｍａｔｉｏｎに含まれるＰＣＩ及びＥＧＣＩのリストを、図１５に示す。そして、図１５に示すリストに含まれるＰＣＩを、第五のＰＣＩ候補リストから除き、第六のＰＣＩ候補リストを作成する。
【００８１】
以上のようにして、識別子割り当て部３０は、セル２５１に割り当てるＰＣＩの候補リストを作成する。
【００８２】
そして、識別子割り当て部３０は、第六のＰＣＩ候補リストから選択したＰＣＩを、セル２５１に割り当てる（ステップＳ３３）。ただし、ステップＳ３１、Ｓ３２の間で、ＰＣＩ候補リストからＰＣＩが一つも残らなくなった場合には、直前まで残っていたＰＣＩを、セル２５１へ割り当てることとしても良い。
【００８３】
ここで、本実施形態における第六のＰＣＩ候補リストには、セル２５１の隣接セルのＰＣＩと、セル２５１の隣接セルに隣接するセルのＰＣＩと、セル２５１の隣接セルに隣接するセルに更に隣接するセルのＰＣＩなどの、セル２５１がカバーするエリアが近いことが想定されるセルのＰＣＩが除かれている。すなわち、識別子割り当て部３０は、セル２５１がカバーするエリアが近いことが想定されるセルのＰＣＩとは異なるＰＣＩを、セル２５１に割り当てる。そのため、本実施形態においても、無線環境が変化した場合でもｃｏｌｌｉｓｉｏｎ−ｆｒｅｅ及びｃｏｎｆｕｓｉｏｎ−ｆｒｅｅを維持できる可能性が高いＰＣＩの割り当てを行うことができる。
【００８４】
また、本実施形態では、第２の実施形態におけるステップＳ２３〜２５を行った後に、ステップＳ３１、Ｓ３２を行うこととしたが、これに限らない。すなわち、ステップ２３〜２５、及びステップＳ３１、３２については、実行する順序を問わない。更に、ステップＳ２３〜Ｓ２５及びステップＳ３１、Ｓ３２は、必ずしも全て実行する必要はない。すなわち、ステップＳ２３〜Ｓ２５及びステップＳ３１、Ｓ３２のうち、一部のステップが実行されているだけでも、ｃｏｌｌｉｓｉｏｎ−ｆｒｅｅ及びｃｏｎｆｕｓｉｏｎ−ｆｒｅｅを維持できる可能性を高めるという効果を奏する。
【００８５】
なお、本実施形態においては、ステップＳ３２において、セル２５１の隣接セルに隣接するセルに、更に隣接するセルのＰＣＩを、ＰＣＩ候補リストから除くこととした。そのため、ステップＳ１１〜１５によってメモリ２９に記録された、セル２５１、セル２５２、セル２５９、セル２５１０のＮｅｉｇｈｂｏｕｒ  Ｉｎｆｏｒｍａｔｉｏｎの他に、セル２５３、セル２５８、セル２５１１のＮｅｉｇｈｂｏｕｒ  Ｉｎｆｏｒｍａｔｉｏｎが必要となる。ここで、セル２５３、セル２５８、セル２５１１それぞれを構成するｅＮＢ２４３、ｅＮＢ２４８、ｅＮＢ２４１１が、ＥＭＳ２２と接続している場合は、各ｅＮＢが直接ＳＯＮ機能部２６に対して、自身が構成するセルのＮｅｉｇｈｂｏｕｒ  Ｉｎｆｏｒｍａｔｉｏｎを通知することとすればよい。一方、ＮＢ２４３、ｅＮＢ２４８、ｅＮＢ２４１１が、ＥＭＳ２２と接続していない場合でも、ＥＭＳ２２と接続している他のｅＮＢとの間にＸ２インターフェースが確立されていれば、該他のｅＮＢを介して、自身が構成するセルのＮｅｉｇｈｂｏｕｒ  ＩｎｆｏｒｍａｔｉｏｎをＳＯＮ機能部２６に送信することができる。
【００８６】
［第４の実施形態］
【００８７】
第２及び第３の実施形態においては、識別子割り当て部３０がＰＣＩ候補リストを作成する前に、ＰＣＩ候補リストを作成するために必要となるＮｅｉｇｈｂｏｕｒ  Ｉｎｆｏｒｍａｔｉｏｎがメモリ２９に記録されていることとした。しかし、ＰＣＩの割り当てが必要となったとき、ＰＣＩ候補リストの作成に必要なＮｅｉｇｈｂｏｕｒ  Ｉｎｆｏｒｍａｔｉｏｎが全て収集できているとは限らない。
【００８８】
また、第２及び第３の実施形態においては、少なくとも隣接するセル同士の間にはＸ２インターフェースが確立されていることとした。しかしながら、通信システムによっては、隣接するセル同士の間であっても、Ｘ２インターフェースが確立されていない場合がある。また、ＳＯＮ機能部２６を有するＥＭＳ２２と接続されていないｅＮＢであって、ＥＭＳ２２と接続している他のいずれのｅＮＢとも、Ｘ２インターフェースで接続されていないｅＮＢが存在する場合もある。このようなｅＮＢは、直接あるいはＸ２インターフェースを介して、Ｎｅｉｇｈｂｏｕｒ  ＩｎｆｏｒｍａｔｉｏｎをＥＭＳ２２に送信することができない。このような場合、ＳＯＮ機能部２６のメモリ２９に、ＰＣＩ候補リストを作成するのに必要なＮｅｉｇｈｂｏｕｒ  Ｉｎｆｏｒｍａｔｉｏｎが記録されていない場合が生じ得る。
【００８９】
本発明の第４の実施形態においては、このような問題に鑑みて、ＳＯＮ機能部２６が、ＰＣＩ候補リストを作成するのに必要なＮｅｉｇｈｂｏｕｒ  Ｉｎｆｏｒｍａｔｉｏｎを記録していない場合、該Ｎｅｉｇｈｂｏｕｒ  Ｉｎｆｏｒｍａｔｉｏｎを収集するための方法について説明する。
【００９０】
ここでは、ＳＯＮ機能部２６が記録していないＮｅｉｇｈｂｏｕｒ  Ｉｎｆｏｒｍａｔｉｏｎが、ｅＮＢ２４８が構成するセル２５８のＮｅｉｇｈｂｏｕｒ  Ｉｎｆｏｒｍａｔｉｏｎであったとする。
【００９１】
初めに、ＳＯＮ機能部２６を有するＥＭＳ２２と、ｅＮＢ２４８とが接続されている場合について述べる。この場合、ＳＯＮ機能部２６は、ｅＮＢ２４８に対して、Ｎｅｉｇｈｂｏｕｒ  Ｉｎｆｏｒｍａｔｉｏｎを送信するよう要求を出す。ＳＯＮ機能部２６から要求を受けたｅＮＢ２４８は、自身が構成するセル２５８のＮｅｉｇｈｂｏｕｒ  ＩｎｆｏｒｍａｔｉｏｎをＳＯＮ機能部２６に送信する。これにより、ＳＯＮ機能部２６は、セル２５８のＮｅｉｇｈｂｏｕｒ  Ｉｎｆｏｒｍａｔｉｏｎを収集することができる。
【００９２】
次に、ｅＮＢ２４８とＸ２インターフェースが確立されているｅＮＢ２４３が、ＥＭＳ２２と接続している場合について述べる。この場合、ＳＯＮ機能部２６は、ｅＮＢ２４３とｅＮＢ２４８との間のＸ２インターフェースを介して、ｅＮＢ２４８に対して、Ｎｅｉｇｈｂｏｕｒ  Ｉｎｆｏｒｍａｔｉｏｎを送信するよう要求を出す。要求を受けたｅＮＢ２４８は、自身が構成するセル２５８のＮｅｉｇｈｂｏｕｒ  Ｉｎｆｏｒｍａｔｉｏｎを、Ｘ２インターフェースを用いてｅＮＢ２４３に送信する。そして、ｅＮＢ２４３は、セル２５８のＮｅｉｇｈｂｏｕｒ  ＩｎｆｏｒｍａｔｉｏｎをＳＯＮ機能部２６に送信する。このようにして、ＳＯＮ機能部２６は、セル２５８のＮｅｉｇｈｂｏｕｒ  Ｉｎｆｏｒｍａｔｉｏｎを収集することができる。
【００９３】
次に、ｅＮＢ２４８と通信回線が確立されているｅＮＢがいずれも、ＥＭＳ２２と接続していない場合について、図１６を用いて説明する。この場合、ＳＯＮ機能部２６は、ＥＭＳ２２に接続されているｅＮＢのうちいずれかのｅＮＢ（以下、配下ｅＮＢとする）と、ｅＮＢ２４８との間に通信回線（ここではＸ２インターフェースとする）を確立するよう、該配下ｅＮＢに要求する（ステップＳ４１）。このとき、ＳＯＮ機能部２６から要求を受けた配下ｅＮＢが、ｅＮＢ２４８のＸ２  ＴＮＬ（Ｔｒａｎｓｐｏｒｔ  Ｎｅｔｗｏｒｋ  Ｌａｙｅｒ）  ａｄｄｒｅｓｓを知っている場合、配下ｅＮＢは次のように動作する。すなわち、配下ｅＮＢは、ｅＮＢ２４８との間でＳＣＴＰインターフェースを確立した後、ｅＮＢ２４８に対してＸ２セットアップ要求メッセージを送信する（ステップＳ４２）。そして、ｅＮＢ２４８は、配下ｅＮＢに対してＸ２セットアップ応答メッセージを送信する（ステップＳ４３）。ここでｅＮＢ２４８は、Ｘ２セットアップ応答メッセージに、セル２５８のＮｅｉｇｈｂｏｕｒ  Ｉｎｆｏｒｍａｔｉｏｎを含める。そして、配下ｅＮＢは、受信したセル２５８のＮｅｉｇｈｂｏｕｒ  ＩｎｆｏｒｍａｔｉｏｎをＳＯＮ機能部２６に送信する（ステップＳ４４）。これにより、ＳＯＮ機能部２６は、セル２５８のＮｅｉｇｈｂｏｕｒ  Ｉｎｆｏｒｍａｔｉｏｎを収集することができる。
【００９４】
一方、ステップＳ４１において、ＳＯＮ機能部２６から要求を受けた配下ｅＮＢが、ｅＮＢ２４８のＸ２  ＴＮＬ  ａｄｄｒｅｓｓを知らない場合、配下ｅＮＢは、次のように動作する。すなわち、配下ｅＮＢは、Ｓ１インターフェースを用いることにより、ｅＮＢ２４８のＸ２  ＴＮＬ  ａｄｄｒｅｓｓを入手する。これにより、配下ｅＮＢは、ステップＳ４２以降の動作を実行することが可能となる。
【００９５】
最後に、ｅＮＢ２４８が、ＥＭＳ２２と接続している他のＥＭＳ２３のＳＯＮ機能部２７と接続している場合について述べる。なお、図５には示していないが、ＥＭＳ２２は、ＥＭＳ２３と接続していても良い。この場合において、ＳＯＮ機能部２７がセル２５８のＮｅｉｇｈｂｏｕｒ  Ｉｎｆｏｒｍａｔｉｏｎを記録しているのであれば、ＳＯＮ機能部２６は、ＳＯＮ機能部２７から、セル２５８のＮｅｉｇｈｂｏｕｒ  Ｉｎｆｏｒｍａｔｉｏｎを収集することができる。一方、ＳＯＮ機能部２７がセル２５８のＮｅｉｇｈｂｏｕｒ  Ｉｎｆｏｒｍａｔｉｏｎを記録していない場合には、ＳＯＮ機能部２６は、ＳＯＮ機能部２７を介して、ｅＮＢ２４８に対し、セル２５８のＮｅｉｇｈｂｏｕｒ  ＩｎｆｏｒｍａｔｉｏｎをＳＯＮ機能部２７に送信するよう要求する。そして、ＳＯＮ機能部２７は、ｅＮＢ２４８から送信されたセル２５８のＮｅｉｇｈｂｏｕｒ  Ｉｎｆｏｒｍａｔｉｏｎを、ＳＯＮ機能部２６に送信する。これにより、ＳＯＮ機能部２６は、セル２５８のＮｅｉｇｈｂｏｕｒ  Ｉｎｆｏｒｍａｔｉｏｎを収集することができる。
【００９６】
なお、ＳＯＮ機能部２６がセル２５８のＮｅｉｇｈｂｏｕｒ  Ｉｎｆｏｒｍａｔｉｏｎを収集するための要求を出すタイミングは、ＰＣＩ候補リストを作成する直前もしくは途中であっても良い。あるいは、他のセルがカバーするエリアとセル２５８がカバーするエリアが近いことを予測あるいは検出できた時点であっても良い。
【００９７】
以上のようにして、本実施形態によれば、ＳＯＮ機能部２６は、ＰＣＩ候補リストの作成に必要なＮｅｉｇｈｂｏｕｒ  Ｉｎｆｏｒｍａｔｉｏｎを収集することができる。そのためセルがカバーするエリアが近いことが想定される他のセルのＰＣＩを、セルに割り当てるＰＣＩの候補リストから除外することができる。これにより、ＰＣＩの割り当てにおいて、ｃｏｌｌｉｓｉｏｎ−ｆｒｅｅ及びｃｏｎｆｕｓｉｏｎ−ｆｒｅｅを維持できる可能性を高めることが可能となる。
【００９８】
以上、本発明を、好適な実施形態に基づき具体的に説明したが、本発明は上記のものに限定されるものではなく、その要旨を逸脱しない範囲で種々変更可能であることは言うまでもない。
【００９９】
例えば、本発明の第１乃至第４の実施形態においては、Ｎｅｉｇｈｂｏｕｒ  Ｉｎｆｏｒｍａｔｉｏｎを用いてＰＣＩ候補リストを作成していたが、他の情報も用いることとしても良い。例えば、ＳＯＮ機能部は、Ｘ２インターフェース等を介して、ｅＮＢの位置情報（例えば緯度経度）も収集することとしても良い。位置情報としては、例えば、ＧＮＳＳ（ｇｌｏｂａｌ  ｎａｖｉｇａｔｉｏｎ  ｓａｔｅｌｉｔｅ  ｓｙｓｔｅｍ（ｓ））を用いることとしても良い。なお、位置情報は、Ｎｅｉｇｈｂｏｕｒ  Ｉｎｆｏｒｍａｔｉｏｎと同じタイミングで送受信されることとしても良い。例えば、ＧＮＳＳの情報を、Ｘ２セットアップ要求メッセージやＸ２セットアップ応答メッセージ、ＥＮＢコンフィグレーションアップデートメッセージなどに、Ｎｅｉｇｈｂｏｕｒ  Ｉｎｆｏｒｍａｔｉｏｎと共に含めることとしても良い。あるいは、位置情報は、Ｎｅｉｇｈｂｏｕｒ  Ｉｎｆｏｒｍａｔｉｏｎとは異なるタイミングで送受信されることとしても良い。
【０１００】
ＳＯＮ機能部は、受信した位置情報を参照することにより、カバーするエリアが近いセルをより正確に判定することができる。そのため、隣接セルの関係にないセルであっても、カバーするエリアが近いと判断されるセルのＰＣＩを、ＰＣＩ候補リストから除くことができる。また、隣接セルの中でも、カバーするエリアが特に近いセルを特定することができるので、ＰＣＩ候補リストから除外する優先順位をつけることができる。そのため、ＰＣＩの割り当てにおいて、ｃｏｌｌｉｓｉｏｎ−ｆｒｅｅ及びｃｏｎｆｕｓｉｏｎ−ｆｒｅｅを維持できる可能性を更に高めることができる。
【０１０１】
また、第２乃至第４の実施形態における通信システム２０は、ＥＭＳ２２、２３がＳＯＮ機能部を有する、ＥＭ−Ｃｅｎｔｒａｌｉｚｅｄ  ＳＯＮであることとしたが、これに限らない。すなわち、図１７に示すような、ＮＭＳ２１がＳＯＮ機能部を有するＮＭ−Ｃｅｎｔｒａｌｉｚｅｄ  ＳＯＮであっても良い。このような場合、ＮＭＳ２１のＳＯＮ機能部は、ＥＭＳ２２あるいはＥＭＳ２３を介して、各ｅＮＢから送信されるＮｅｉｇｈｂｏｕｒ  Ｉｎｆｏｒｍａｔｉｏｎを受信する。あるいは、ＮＭＳ２１とＥＭＳ２２、２３のそれぞれが、ＳＯＮ機能部を有することとしても良い。
【０１０２】
また、コアネットワークに設けられたコアネットワーク装置（例えば、ＭＭＥ（Ｍｏｂｉｌｉｔｙ  Ｍａｎａｇｅｍｅｍｅｎｔ  Ｅｎｔｉｔｙ）、ゲートウェイ装置など）がＳＯＮ機能部を有することとしてもよい。この場合、ｅＮＢが構成するセルのＮｅｉｇｈｂｏｕｒ  Ｉｎｆｏｒｍａｔｉｏｎを、Ｓ１インターフェースを介して入手することとする。また、コアネットワークにＳＧＳＮ（Ｓｅｒｖｉｎｇ  ＧＰＲＳ  Ｓｕｐｐｏｒｔ  Ｎｏｄｅ）が含まれる通信システムにおいては、該ＳＧＳＮが、ＳＯＮ機能部を有することとしても良い。
【０１０３】
なお、ＳＯＮ機能部は、基地局と通信可能なＯ＆Ｍ（Ｏｐｅｒａｔｉｏｎｓ  ａｎｄ  Ｍａｉｎｔｅｎａｎｃｅ）機能部に含まれることとしても良い。例えば、第２の実施形態においては、ＥＭＳ２２がＯ＆Ｍ機能部を有し、該Ｏ＆Ｍ機能部が、ＳＯＮ機能部２６を有することとしても良い。
【０１０４】
更に、第２乃至第４の実施形態における通信システム２０は、Ｃｅｎｔｒａｌｉｚｅｄ  ＳＯＮ機能を有するＬＴＥシステムであることとしたが、これに限らない。すなわち、通信システム２０を、図１８に示すような、Ｄｉｓｔｒｉｂｕｔｅｄ  ＳＯＮ機能を有するＬＴＥシステムに応用させても良い。Ｄｉｓｔｒｉｂｕｔｅｄ  ＳＯＮ機能とは、ＳＯＮ機能部が、ＮＥ（Ｎｅｔｗｏｒｋ  Ｅｌｅｍｅｎｔ）  ｌｅｖｅｌ（例えばｅＮＢ）に存在することを言う。この場合、ＳＯＮ機能部は、ｅＮＢが構成するセルのＮｅｉｇｈｂｏｕｒ  Ｉｎｆｏｒｍａｔｉｏｎを、Ｘ２インターフェースを介して入手することとする。なお、Ｘ２インターフェースが確立されていないｅＮＢが構成するセルのＮｅｉｇｈｂｏｕｒ  Ｉｎｆｏｒｍａｔｉｏｎを収集したい場合には、第４の実施形態と同様に、所望のｅＮＢに対してＸ２セットアップ要求メッセージを送信すればよい。そして、該Ｘ２セットアップ要求メッセージに対するＸ２セットアップ応答メッセージにＮｅｉｇｈｂｏｕｒ  Ｉｎｆｏｒｍａｔｉｏｎを含めることとすれば良い。これにより、ｅＮＢのＳＯＮ機能部は、所望のＮｅｉｇｈｂｏｕｒ  Ｉｎｆｏｒｍａｔｉｏｎを収集することができる。
【０１０５】
更に、本発明の第１乃至第４の実施形態における通信システムは、ＬＴＥシステム以外のシステムに適用させることも可能である。すなわち、セルに対して識別子を割り当てるシステムであって、Ｎｅｉｇｈｂｏｕｒ  Ｉｎｆｏｒｍａｔｉｏｎのように隣接セルの識別子が含まれる情報が利用可能なシステムであれば、本発明の通信システムを適用させることができる。
【０１０６】
また、本発明においては、Ｎｅｉｇｈｂｏｕｒ  Ｉｎｆｏｒｍａｔｉｏｎの構築方法、すなわち、隣接セル関係をどのように決定するのかについては、特に限定されない。例えば、ＳＯＮ機能部が、移動端末から送信されるＭｅａｓｕｒｅｍｅｎｔ  Ｒｅｐｏｒｔの報告実績に基づいて隣接セル関係を調整することとしてもよい。あるいは、ＳＯＮ機能を使用せずに、オペレータが、セルの位置関係やドライブテストの結果に基づいて、基地局が構成するセルの隣接セルを決定することとしてもよい。
【０１０７】
更に、第１の実施形態乃至第４の実施形態で述べた通信システムの各動作は、図１、５で示した通信システムが有する装置や、該装置と通信可能な他の装置のＣＰＵ（Ｃｅｎｔｒａｌ  Ｐｒｏｃｅｓｓｉｎｇ  Ｕｎｉｔ）が制御することとしてもよい。この場合は、各実施形態の機能を実現するソフトウェアのプログラムコードを記録した記録媒体を用意し、該ＣＰＵが、汎用コンピュータが記録媒体に格納されたプログラムコードを読み出すことにより動作することによっても達成されることは、言うまでもない。
【０１０８】
なお、プログラムを供給する記録媒体としては、例えば、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、光ディスク、磁気ディスク、不揮発性メモリカードなど、上記プログラムを記憶できるものであれば良い。
【０１０９】
また、セルとは、サービス・カバレッジの基本単位であり、セクター・アンテナ（水平面内で指向性をもつアンテナ）などでｅＮＢのサービス・エリアが分割されている場合はセクター・セルと呼ばれ、サービス・エリアが分割されない場合はオムニ・セルと呼ばれる（水平面内で指向性のないオムニ・アンテナが用いられる）。本発明の第１の実施形態乃至第４の実施形態においては、理解を簡単にするためオムニ・セルの場合について説明したが、セクター・セルにも同様に適用できる。
【０１１０】
また、第２の実施形態乃至第４の実施形態においては、基地局の種類を限定しない。すなわち、基地局は、マクロセルを構成するマクロ基地局、ピコセルを構成するピコ基地局、フェムトセルを構成するフェムト基地局（ＨＮＢまたはＨｅＮＢ）のいずれであってもよい。
【０１１１】
上記の実施形態の一部又は全部は、以下の付記のようにも記載されうるが、以下には限られない。
【０１１２】
（付記１）第一のセルを構成する第一の基地局と、第二のセルを構成する第二の基地局と、前記第二のセルを識別する識別子を割り当てる識別子割り当て装置と、を有し、前記第一の基地局は、前記第一のセルの隣接セルの識別子情報が含まれる、第一の隣接セル情報を、前記第二の基地局へ送信し、前記第二の基地局は、前記第一の基地局から受信した前記第一の隣接セル情報を、前記識別子割り当て装置へ送信する、通信システム。
（付記２）前記第一のセルと前記第二のセルのうち少なくとも一方のセルの隣接セルに、他方のセルが含まれる、付記１に記載の通信システム。
（付記３）前記識別子割り当て装置は、前記第一の隣接セル情報に基づいて、前記第二のセルの識別子の割り当てを行う、付記１または２に記載の通信システム。
（付記４）第三のセルを構成する第三の基地局を更に有し、前記第一のセルは、前記第二のセルの隣接セルに含まれ、前記第三のセルは、前記第一のセルの隣接セルに含まれ、前記識別子割り当て装置は、前記第三セルの隣接セルの識別子情報が含まれる第三の隣接セル情報と、前記第一の隣接セル情報とに基づいて、前記第二のセルの識別子の割り当てを行う、付記１乃至３のいずれか一つに記載の通信システム。
（付記５）前記第二のセルの隣接セルに含まれる第四のセルを構成する第四の基地局を更に有し、前記第二の基地局と、前記第四の基地局との間に通信回線が確立されていない場合、前記識別子割り当て装置は、前記第二の基地局に対して、前記第二の基地局と第四の基地局との間に通信回線を確立するよう要求する、付記１乃至４のいずれか一つに記載の通信システム。
（付記６）前記識別子は、ＰＣＩである、付記１乃至５のいずれか一つに記載の通信システム。
（付記７）前記第一の隣接セル情報は、前記第一の基地局から送信されるＸ２セットアップ要求メッセージに含まれる、付記１乃至６のいずれか一つに記載の通信システム。
（付記８）前記第一の隣接セル情報は、前記第一の基地局から送信されるＸ２セットアップ応答メッセージに含まれる、付記１乃至６のいずれか一つに記載の通信システム。
（付記９）前記第一の隣接セル情報は、前記第一の基地局から送信されるＥＮＢコンフィグレーションアップデートメッセージに含まれる、付記１乃至６のいずれか一つに記載の通信システム。
（付記１０）前記第二の基地局の動作を管理する管理システムが、前記識別子割り当て装置として機能する、付記１乃至９のいずれか一つに記載の通信システム。
（付記１１）前記第二の基地局が、前記識別子割り当て装置として機能する、付記１乃至９のいずれか一つに記載の通信システム。
（付記１２）前記通信システムを管理する管理システムが、前記識別子割り当て装置として機能する、付記１乃至９のいずれか一つに記載の通信システム。
（付記１３）前記第一の隣接セル情報は、前記第一のセルの隣接セルのＥＣＧＩ情報と、ＥＡＲＦＣＮ情報とを更に含む、付記１乃至１２のいずれか一つに記載の通信システム。
（付記１４）前記第一の基地局は、前記第一の隣接セル情報に加えて、前記第一の基地局の位置情報を前記第二の基地局に送信し、前記第二の基地局は、前記第一の基地局から受信した前記第一の基地局の位置情報を、前記識別子割り当て装置に送信する、付記１乃至１３のいずれか一つに記載の通信システム。
（付記１５）前記識別子割り当て装置は、前記第一の隣接セル情報と、前記位置情報とに基づいて、前記第二のセルの識別子の割り当てを行う、付記１４に記載の通信システム。
（付記１６）前記第一の基地局の位置情報とは、前記第一の基地局のＧＮＳＳである、付記１４または１５に記載の通信システム。
（付記１７）第一のセルを構成する第一の基地局と、第二のセルを構成する第二の基地局と、を有する通信システムにおいて、前記第二のセルの識別子の割り当てを行う識別子割り当て装置であって、前記第二の基地局から、前記第一のセルの隣接セルの識別子情報を含む第一の隣接セル情報を受信する受信部と、前記受信部が受信した前記第一の隣接セル情報に基づいて、前記第二のセルの識別子の割り当てを行う識別子割り当て部と、を有する識別子割り当て装置。
（付記１８）第一のセルと、第二のセルと、前記第二のセルの識別子の割り当てを行う識別子割り当て装置と、を有する通信システムにおける、前記第二のセルを構成する基地局であって、前記第一のセルを構成する他の基地局から、前記第一のセルの隣接セルの識別子情報を含む第一の隣接セル情報を受信する受信部と、前記第一の隣接セル情報を、前記識別子割り当て装置に送信する送信部と、を有する、基地局。
（付記１９）第一の基地局が構成する第一のセルの隣接セルの識別子情報が含まれる、第一の隣接セル情報を、第二のセルを構成する第二の基地局へ送信する工程と、前記第二の基地局が受信した前記第一の隣接セル情報を、前記第二のセルの識別子の割り当てを行う識別子割り当て装置に送信する工程と、を有する識別子割り当て方法。
（付記２０）第一のセルを構成する第一の基地局と、第二のセルを構成する第二の基地局と、を有する通信システムにおいて、前記第二のセルに識別子を割り当てる識別子割り当て装置のための方法であって、前記第二の基地局から、前記第一のセルの隣接セルの識別子情報を含む第一の隣接セル情報を受信する受信工程と、前記受信工程により受信した前記第一の隣接セル情報に基づいて、前記第二のセルの識別子の割り当てを行う識別子割り当て工程と、を有する、識別子割り当て装置のための方法。
（付記２１）第一のセルと、第二のセルと、前記第二のセルの識別子の割り当てを行う識別子割り当て装置と、を有する通信システムにおいて、前記第二のセルを構成する基地局のための方法であって、前記第一のセルを構成する他の基地局から、前記第一のセルの隣接セルの識別子情報を含む第一の隣接セル情報を受信する受信工程と、前記第一の隣接セル情報を、前記識別子割り当て装置に送信する送信工程と、を有する、基地局のための方法。
（付記２２）第一の基地局が構成する第一のセルの隣接セルの識別子情報が含まれる、第一の隣接セル情報を、第二のセルを構成する第二の基地局へ送信する工程と、前記第二の基地局が受信した前記第一の隣接セル情報を、前記第二のセルの識別子の割り当てを行う識別子割り当て装置に送信する工程と、をコンピュータに実行させるプログラム。
（付記２３）第一のセルを構成する第一の基地局と、第二のセルを構成する第二の基地局と、を有する通信システムにおける、前記第二のセルの識別子の割り当てを行う識別子割り当て装置のためのプログラムあって、第二の基地局から、前記第一のセルの隣接セルの識別子情報を含む第一の隣接セル情報を受信する受信工程と、前記受信工程により受信した前記第一の隣接セル情報に基づいて、前記第二のセルの識別子の割り当てを行う識別子割り当て工程と、をコンピュータに実行させるプログラム。
（付記２４）第一のセルと、第二のセルと、前記第二のセルの識別子の割り当てを行う識別子割り当て装置と、を有する通信システムにおける、前記第二のセルを構成する基地局のためのプログラムであって、前記第一のセルを構成する他の基地局から、前記第一のセルの隣接セルの識別子情報を含む第一の隣接セル情報を受信する受信工程と、前記第一の隣接セル情報を、前記識別子割り当て装置に送信する送信工程と、をコンピュータに実行させるプログラム。
（付記２５）コンピュータに読み取り可能な情報記憶媒体であって、付記２２乃至２４のいずれか一つに記載のプログラムを記録する記録媒体。
【０１１３】
本発明の例示的な実施形態によれば、識別子割り当て装置に接続されていない基地局が構成するセルの、隣接セルの識別子情報を、識別子割り当て装置が知ることが可能となる。
【０１１４】
この出願は、２０１２年２月１７日に出願された日本出願特願２０１２−０３３０９５を基礎とする優先権を主張し、その開示の全てをここに取り込む。
【符号の説明】
【０１１５】
１０、２０    通信システム
１１    第一の基地局
１２    第二の基地局
１３    識別子割り当て装置
１４、１６、２８    受信部
１５    送信部
１７、３０    識別子割り当て部
２１    ＮＭＳ
２２、２３    ＥＭＳ
２４１〜ｍ    ｅＮＢ
２５１〜ｍ    セル
２６、２７    ＳＯＮ機能部
２９    メモリ
【図１】
0005822028.tif 000002
【図２】
0005822028.tif 000003
【図３】
0005822028.tif 000004
【図４】
0005822028.tif 000005
【図５】
0005822028.tif 000006
【図６】
0005822028.tif 000007
【図７】
0005822028.tif 000008
【図８】
0005822028.tif 000009
【図９】
0005822028.tif 000010
【図１０】
0005822028.tif 000011
【図１１】
0005822028.tif 000012
【図１２】
0005822028.tif 000013
【図１３】
0005822028.tif 000014
【図１４】
0005822028.tif 000015
【図１５】
0005822028.tif 000016
【図１６】
0005822028.tif 000017
【図１７】
0005822028.tif 000018
【図１８】
0005822028.tif 000019